(57)【特許請求の範囲】
【請求項１】
被写体像を撮像してＲＡＷ画像データを生成する撮像部と、
前記撮像部で生成されたＲＡＷ画像データに対して画像処理を施して、カラー画像データを生成する画像処理部と、
前記画像処理部の処理モードとして、光学フィルターを用いて撮像することにより得られる画像効果を擬似再現するフィルター効果モードを設定可能な処理モード設定部と、
前記画像処理部で生成されたカラー画像データを表示する表示部と、
リングタイプまたはダイヤルタイプの回転式操作部と、
前記回転式操作部の回転操作を検出する回転操作検出部と、
前記処理モード設定部によって前記フィルター効果モードが設定されている場合に、前記回転操作検出部によって前記回転式操作部の回転操作が検出されると、回転操作に連動して前記画像効果が変化するような画像処理が行われるように前記画像処理部を制御する制御部と、
を備え、
前記回転操作検出部は、前記回転式操作部の回転操作とともに、回転角を検出し、
前記制御部は、前記回転操作検出部で検出される回転角の変化に相当する量だけ、前記画像効果を有する光学フィルターを回転させた場合に得られる画像効果を与える画像処理が行われるように前記画像処理部を制御する、
ことを特徴とする撮像装置。
【請求項２】
前記光学フィルターを用いて撮像することにより得られる画像効果は、クロスフィルターを用いて撮像することにより得られる画像上の輝度が高い位置を中心として放射状に広がる光条を付加する画像効果であり、
前記制御部は、前記回転式操作部の回転角の変化分に対応する回転角だけ、前記輝度が高い点を中心として回転させた前記光条を付加する画像効果となる画像処理が行われるように、前記画像処理部を制御する、
ことを特徴とする請求項１に記載の撮像装置。
【請求項３】
前記制御部は、前記回転式操作部の回転角の変化分に等しい回転角だけ回転させた光条を付加する画像効果となる画像処理が行われるように前記画像処理部を制御する、
ことを特徴とする請求項２に記載の撮像装置。
【請求項４】
前記光学フィルターを用いて撮像することにより得られる画像効果は、偏光フィルターを用いて撮像することにより得られる画像上の青空の明るさを抑制する画像効果であり、
前記制御部は、前記回転式操作部の回転角の変化分に対応する回転角だけ、前記青空の明るさを抑制する効果を変化させる画像効果となる画像処理が行われるように前記画像処理部を制御する、
ことを特徴とする請求項１に記載の撮像装置。
【請求項５】
前記制御部は、ライブビュー画像の表示時には、前記回転式操作部の回転操作に連動した画像効果の変化を即時的に前記表示部に表示させる、
ことを特徴とする請求項１から請求項４のいずれか一項に記載の撮像装置。
【請求項６】
フォーカスレンズと、
前記フォーカスレンズを駆動するフォーカスレンズ駆動部と、
をさらに備え、
前記回転式操作部は、フォーカスリングであり、
前記制御部は、前記処理モード設定部によって前記フィルター効果モードが設定されていない場合には、前記フォーカスリングの回転操作に応じて前記フォーカスレンズを駆動するように前記フォーカスレンズ駆動部を制御する、
ことを特徴とする請求項１から請求項４のいずれか一項に記載の撮像装置。
【請求項７】
ズームレンズと、
前記ズームレンズを駆動するズームレンズ駆動部と、
をさらに備え、
前記回転式操作部は、ズームリングであり、
前記制御部は、前記処理モード設定部によって前記フィルター効果モードが設定されていない場合には、前記ズームリングの回転操作に応じて前記ズームレンズを駆動するように前記ズームレンズ駆動部を制御する、
ことを特徴とする請求項１から請求項４のいずれか一項に記載の撮像装置。
【請求項８】
被写体像を撮像してＲＡＷ画像データを生成するステップと、
前記生成されたＲＡＷ画像データに対して画像処理を施して、カラー画像データを生成するステップと、
を備え、
前記画像処理を施して、カラー画像データを生成するステップにおいて、光学フィルターを用いて撮像することにより得られる画像効果を擬似再現するフィルター効果モードが設定されている場合に、リングタイプまたはダイヤルタイプの回転式操作部材の回転操作が行われると、回転操作に連動して前記光学フィルターを用いて撮像することにより得られる画像効果が変化するような画像処理を施し、
前記画像処理は、前記回転式操作部材の回転角の変化に相当する量だけ、前記画像効果を有する光学フィルターを回転させた場合に得られる画像効果を与える、
ことを特徴とする撮像方法。
【発明の詳細な説明】
【技術分野】
【０００１】
本発明は、光学フィルターを用いて撮像することにより得られる画像効果を画像処理にて擬似再現する技術に関する。
【背景技術】
【０００２】
従来、光学フィルターの一種であるクロスフィルターを用いて撮像することにより得られる画像効果を、クロスフィルターを用いずに画像処理にて擬似再現する技術が知られている（特許文献１参照）。
【先行技術文献】
【特許文献】
【０００３】
【特許文献１】特開２００７−１４８５３７号公報
【発明の概要】
【発明が解決しようとする課題】
【０００４】
クロスフィルターをカメラのレンズ部に取り付けて撮影を行う場合、ユーザがクロスフィルターを回転させることによって、クロスフィルターを用いた場合に得られる画像効果を変化させることができる。しかしながら、従来の技術では、クロスフィルターを用いた場合の画像効果を画像処理にて再現することはできるが、ユーザの直感的な操作によって、再現する画像効果を変化させることはできなかった。
【０００５】
本発明は、光学フィルターを用いて撮像することにより得られる画像効果を擬似再現する際に、ユーザの直感的な操作に応じて画像効果を変化させる技術を提供することを目的とする。
【課題を解決するための手段】
【０００６】
本発明のある態様に係る撮像装置は、被写体像を撮像してＲＡＷ画像データを生成する撮像部と、前記撮像部で生成されたＲＡＷ画像データに対して画像処理を施して、カラー画像データを生成する画像処理部と、前記画像処理部の処理モードとして、光学フィルターを用いて撮像することにより得られる画像効果を擬似再現するフィルター効果モードを設定可能な処理モード設定部と、前記画像処理部で生成されたカラー画像データを表示する表示部と、リングタイプまたはダイヤルタイプの回転式操作部と、前記回転式操作部の回転操作を検出する回転操作検出部と、前記処理モード設定部によって前記フィルター効果モードが設定されている場合に、前記回転操作検出部によって前記回転式操作部の回転操作が検出されると、回転操作に連動して前記画像効果が変化するような画像処理が行われるように前記画像処理部を制御する制御部と、を備え、前記回転操作検出部は、前記回転式操作部の回転操作とともに、回転角を検出し、前記制御部は、前記回転操作検出部で検出される回転角の変化に相当する量だけ、前記画像効果を有する光学フィルターを回転させた場合に得られる画像効果を与える画像処理が行われるように前記画像処理部を制御する。
【０００７】
本発明の別の態様に係る撮像方法は、被写体像を撮像してＲＡＷ画像データを生成するステップと、前記生成されたＲＡＷ画像データに対して画像処理を施して、カラー画像データを生成するステップと、を備え、前記画像処理を施して、カラー画像データを生成するステップにおいて、光学フィルターを用いて撮像することにより得られる画像効果を擬似再現するフィルター効果モードが設定されている場合に、リングタイプまたはダイヤルタイプの回転式操作部材の回転操作が行われると、回転操作に連動して前記光学フィルターを用いて撮像することにより得られる画像効果が変化するような画像処理を施し、前記画像処理は、前記回転式操作部材の回転角の変化に相当する量だけ、前記画像効果を有する光学フィルターを回転させた場合に得られる画像効果を与える。
【発明の効果】
【０００８】
本発明によれば、光学フィルターを用いて撮像することにより得られる画像効果を擬似再現する際に、回転式操作部の回転操作に連動して画像効果が変化するような画像処理を施すので、ユーザは、回転式操作部の回転操作による直感的な操作を行うことによって、画像効果を変化させることができる。
【図面の簡単な説明】
【０００９】
【図１】第１の実施形態における撮像装置の構成を示す図である。
【図２】第１の実施形態における撮像装置で行われる処理フローを示すフローチャートである。
【図３】図３（ａ）は、クロスフィルター処理を施す前の画像を示す図であり、図３（ｂ）は、クロスフィルター処理を施した後の画像を示す図である。
【図４】撮像装置とともに、撮影モードがクロスフィルターモードに設定されている状態で、撮像装置のＬＣＤに表示される画像を示す図であり、図４（ａ）では、フォーカスリングが回転されない場合の画像を示し、図４（ｂ）では、フォーカスリングが回転された場合の画像をそれぞれ示している。
【図５】第２の実施形態における撮像装置の構成を示す図である。
【図６】第２の実施形態における撮像装置で行われる処理フローを示すフローチャートである。
【図７】撮像装置とともに、撮影モードが偏光フィルターモードに設定されている状態で、撮像装置のＬＣＤに表示される画像を示す図であり、図７（ａ）では、フォーカスリングが回転されない場合の画像を、図７（ｂ）では、フォーカスリングが９０度回転された場合の画像を、図７（ｃ）では、フォーカスリングが１８０度回転された場合の画像をそれぞれ示している。
【発明を実施するための形態】
【００１０】
−第１の実施形態−
図１は、第１の実施形態における撮像装置１００の構成を示す図である。この撮像装置１００は、例えば、一眼レフデジタルカメラである。第１の実施形態における撮像装置は、レンズユニット１と、撮像素子２と、アナログ増幅器３（以下、Ａ−ＡＭＰ３と呼ぶ）と、アナログデジタル変換器４（以下、ＡＤＣ４と呼ぶ）と、ＣＰＵ５と、画像処理部６と、ビデオエンコーダ７と、ＬＣＤ８と、操作部９と、ＤＲＡＭ１０と、ＦＬＡＳＨメモリ１１と、バス１２とを備える。
【００１１】
レンズユニット１は、フォーカスリング回転検出部２１と、フォーカスモータ駆動部２２と、絞り駆動部２３と、手動ズーム機構２４と、フォーカスモータ２５と、前玉レンズ２６と、フォーカスリング２７と、フォーカスレンズ２８と、ズームレンズ２９と、絞り３０と、後玉レンズ３１とを備える。
【００１２】
フォーカスリング回転検出部２１は、フォーカスリング２７の回転操作および回転角を検出する。
【００１３】
フォーカスモータ駆動部２２は、ＣＰＵ５からの指令に基づいて、フォーカスモータ２５を駆動して、フォーカスレンズ２８を動かす。
【００１４】
絞り駆動部２３は、ＣＰＵ５からの指令に基づいて、絞り３０の開閉を制御する。
【００１５】
手動ズーム機構２４は、ユーザの操作に基づいて光軸方向の前後に移動する。これにより、ズームレンズ２９も光軸方向の前後に移動する。
【００１６】
被写体からの光は、前玉レンズ２６、フォーカスレンズ２８、ズームレンズ２９、絞り３０、および、後玉レンズ３１を介して、撮像素子２で受光される。撮像素子２は、受光した光を光電変換して、アナログの電気信号（画像信号）を出力する。
【００１７】
Ａ−ＡＭＰ３は、撮像素子２から出力される画像信号を、ＣＰＵ５から指示される所定の増幅率で増幅する。
【００１８】
ＡＤＣ４は、Ａ−ＡＭＰ３から出力されるアナログ画像信号をデジタル画像信号に変換する。変換により得られるデジタル画像信号は、いわゆるＲＡＷ画像データであって、以後、単に画像データと呼ぶ。
【００１９】
なお、撮像素子２、Ａ−ＡＭＰ３、および、ＡＤＣ４をまとめて、撮像部と呼ぶことができる。
【００２０】
バス１２は、撮像装置内部で発生した各種データを撮像装置内の各部に転送するための転送路である。バス１２は、ＡＤＣ４と、ＣＰＵ５と、画像処理部６と、ビデオエンコーダ７と、ＤＲＡＭ１０と、ＦＬＡＳＨメモリ１１とに接続されている。
【００２１】
ＤＲＡＭ１０は、ＡＤＣ４において得られた画像データや、画像処理部６で処理された画像データ等の各種データが一時的に記憶される記憶部である。
【００２２】
画像処理部６は、ＡＤＣ４において得られ、ＤＲＡＭ１０に記憶された画像データに対して様々な画像処理を施す。様々な画像処理とは、例えば、ノイズ除去処理、ホワイトバランス補正処理、色補正処理、ガンマ変換処理、圧縮・伸長処理等である。
【００２３】
画像処理部６は、また、ＣＰＵ５からの指示に基づいて、クロスフィルターのような光学フィルターを用いた撮像時に得られる画像効果を擬似再現するための画像処理を施す。ここでは、クロスフィルターを用いた撮像時に得られる画像効果を擬似再現するための画像処理を、クロスフィルター処理と呼ぶ。
【００２４】
ＦＬＡＳＨメモリ１１は、撮影により得られた画像データを記録する。ＦＬＡＳＨメモリ１１は、また、撮像装置の動作に必要な各種パラメータや、ＣＰＵ５で実行されるプログラムを記憶している。なお、撮像装置に内蔵されるＦＬＡＳＨメモリ１１の代わりに、カメラ本体に着脱可能なメモリカードを用いてもよい。
【００２５】
ビデオエンコーダ７は、ＬＣＤ８に画像を表示させるための各種処理を行う。具体的には、ビデオエンコーダ７は、ＤＲＡＭ１０に記憶されている画像データをＤＲＡＭ１０から読み出し、読み出した画像データを映像信号に変換した後でＬＣＤ８に出力して、画像の表示を行う。ＬＣＤ８は、撮影により得られた画像を表示する。画像の表示には、静止画の表示、動画の表示、ライブビュー画像の表示が含まれる。
【００２６】
なお、ビデオエンコーダ７は、映像信号をテレビ等の外部機器に出力することもできる。
【００２７】
ＣＰＵ５は、撮像装置の各種シーケンスを統括的に制御する。このため、ＣＰＵ５は、ＦＬＡＳＨメモリ１１に記憶されているプログラムに従い、またＦＬＡＳＨメモリ１１から各種シーケンスに必要なパラメータを読み込み、各処理を実行する。
【００２８】
操作部９は、レリーズボタンや各種入力キー等の操作部材である。例えば、ユーザは、操作部９の操作部材の操作によって、撮影モード（処理モード）を選択することができる。操作部９の操作部材が操作されたことを示す情報は、ＣＰＵ５に入力される。ユーザにより操作部９のいずれかの操作部材が操作されることにより、ＣＰＵ５は、ユーザの操作に応じた各種シーケンスを実行する。
【００２９】
図２は、第１の実施形態における撮像装置で行われる処理フローを示すフローチャートである。ユーザにより電源ボタンが押されて、デジタルスチルカメラの電源がオンになると、ＣＰＵ５は、ステップＳ１０の処理を開始する。
【００３０】
ステップＳ１０では、撮影モードがクロスフィルターモードに設定されているか否かを判定する。クロスフィルターモードとは、クロスフィルターを用いた撮像時に得られる画像効果を、クロスフィルターを用いない撮像時に得られた画像上で擬似再現するための画像処理を施すモードである。ユーザが操作部９の操作部材を操作することによって、クロスフィルターモードを選択すると、ＣＰＵ５は、撮影モードをクロスフィルターモードに設定する。撮影モードがクロスフィルターモードに設定されていないと判定すると、ステップＳ２０に進む。
【００３１】
ステップＳ２０からステップＳ４０では、ライブビュー表示を行うための処理が行われる。
【００３２】
ステップＳ２０において、画像処理部６は、撮影により得られたライブビュー表示用ＲＡＷデータをＤＲＡＭ１０から取り込む。すなわち、ライブビュー表示を行うため、いわゆる電子シャッターによって撮影が行われる。撮影により得られた画像データ（ライブビュー表示用ＲＡＷデータ）は、ＤＲＡＭ１０に一時的に格納されるため、このＲＡＷデータをＤＲＡＭ１０から読み出す。
【００３３】
ステップＳ３０において、画像処理部６は、ステップＳ２０で取り込んだＲＡＷデータに対して、通常の画像処理を施す。通常の画像処理とは、撮影モードがクロスフィルターモードに設定されていない場合の画像処理であって、例えば、ノイズ除去処理、ホワイトバランス補正処理、色補正処理、ガンマ変換処理、圧縮処理等である。画像処理後の画像データは、ＤＲＡＭ１０に一時的に格納される。
【００３４】
ステップＳ４０において、ビデオエンコーダ７は、画像処理部６で画像処理が施された画像データをＤＲＡＭ１０から読み出して、画像を表示させるための各種処理を行った後、ＬＣＤ８に表示させる。この表示は、いわゆるライブビュー表示である。
【００３５】
ステップＳ５０では、フォーカスリング２７が回転したか否かを判定する。この判定は、フォーカスリング回転検出部２１から入力される信号に基づいて行う。フォーカスリング２７が回転したと判定するとステップＳ６０に進み、回転していないと判定すると、ステップＳ７０に進む。
【００３６】
ステップＳ６０では、フォーカスリング回転検出部２１によって検出されたフォーカスリング２７の回転角に基づいて、フォーカスレンズ２８を移動させる指令をフォーカスモータ駆動部２２に出す。この指令には、フォーカスレンズ２８の移動量も含まれる。ＣＰＵ５からの指令に基づいて、フォーカスモータ駆動部２２は、フォーカスレンズ２８を駆動する。
【００３７】
ステップＳ７０では、ユーザによってレリーズボタンが押し下げられたか否かを判定する。レリーズボタンが押し下げられたと判定するとステップＳ８０に進み、押し下げられていないと判定すると、ステップＳ１１０に進む。
【００３８】
ステップＳ８０において、画像処理部６は、撮影により得られた記録用ＲＡＷデータをＤＲＡＭ１０から取り込む。すなわち、レリーズボタンが押し下げられることによって、静止画の撮影が行われる。静止画撮影により得られた画像データ（記録用ＲＡＷデータ）は、ＤＲＡＭ１０に一時的に格納されるため、このＲＡＷデータをＤＲＡＭ１０から読み出す。なお、撮影モードが動画モードに設定されている場合には、動画撮影により得られた画像データ（ＲＡＷデータ）をＤＲＡＭ１０から読み出す。
【００３９】
ステップＳ９０において、画像処理部６は、ステップＳ８０で取り込んだＲＡＷデータに対して、通常の画像処理を施す。通常の画像処理とは、撮影モードがクロスフィルターモードに設定されていない場合の画像処理であって、例えば、ノイズ除去処理、ホワイトバランス補正処理、色補正処理、ガンマ変換処理、圧縮処理等である。画像処理後の画像データは、ＤＲＡＭ１０に一時的に格納される。
【００４０】
ステップＳ１００では、画像処理部６で画像処理が施された画像データをＤＲＡＭ１０から読み出して、ＦＬＡＳＨメモリ１１に記録する。
【００４１】
ステップＳ１１０では、撮像装置の電源がオフされたか否かを判定する。電源がオフされていないと判定するとステップＳ２０に戻り、上述した処理を行う。一方、ユーザにより電源ボタンが押されて電源がオフされると、フローチャートの処理を終了する。
【００４２】
一方、ステップＳ１０において撮影モードがクロスフィルターモードに設定されていると判定すると、ステップＳ１２０に進む。ステップＳ１２０では、クロスフィルター回転角を初期化する。クロスフィルター回転角は、クロスフィルター処理を行う際に用いられる角度であり、その詳細については後述する。
【００４３】
ステップＳ１３０において、画像処理部６は、撮影により得られたライブビュー表示用ＲＡＷデータをＤＲＡＭ１０から取り込む。この処理は、ステップＳ２０で行われる処理と同じである。
【００４４】
ステップＳ１４０において、画像処理部６は、ステップＳ１３０で取り込んだＲＡＷデータに対して、クロスフィルター処理を含む画像処理を施す。クロスフィルター処理以外の画像処理は、例えば、ノイズ除去処理、ホワイトバランス補正処理、色補正処理、ガンマ変換処理、圧縮処理等である。画像処理後の画像データは、ＤＲＡＭ１０に一時的に格納される。
【００４５】
クロスフィルター処理について、図３を用いて説明する。図３（ａ）は、クロスフィルター処理を施す前の画像を示す図であり、図３（ｂ）は、クロスフィルター処理を施した後の画像を示す図である。クロスフィルター処理では、図３（ｂ）に示すように、家の灯りのような画像上の輝度の高い位置を中心として、放射状に広がる光（以下、光条と呼ぶ）を付加する処理が施される。なお、図３（ｂ）に示す例では、光条が十字状であるが、十字状に限定されることはなく、例えば、６方向や８方向に広がるような形状であってもよい。
【００４６】
ステップＳ１５０において、ビデオエンコーダ７は、画像処理部６で画像処理が施された画像データをＤＲＡＭ１０から読み出して、画像を表示させるための各種処理を行った後、ＬＣＤ８に表示させる。この表示は、いわゆるライブビュー表示である。
【００４７】
ステップＳ１６０では、フォーカスリング２７が回転したか否かを判定する。この判定は、フォーカスリング回転検出部２１から入力される信号に基づいて行う。フォーカスリング２７が回転したと判定するとステップＳ１７０に進み、回転していないと判定すると、ステップＳ１８０に進む。
【００４８】
ステップＳ１７０では、フォーカスリング回転検出部２１から入力されるフォーカスリング２７の回転角に応じて、クロスフィルター回転角を設定する。ここでは、フォーカスリング２７の回転角と等しくなるように、クロスフィルター回転角を設定する。例えば、フォーカスリング２７の回転角が３０度の場合には、クロスフィルター回転角も３０度に設定する。
【００４９】
ステップＳ１８０では、ユーザによってレリーズボタンが押し下げられたか否かを判定する。レリーズボタンが押し下げられたと判定するとステップＳ１９０に進み、押し下げられていないと判定すると、ステップＳ２２０に進む。
【００５０】
ステップＳ１９０において、画像処理部６は、撮影により得られた記録用ＲＡＷデータをＤＲＡＭ１０から取り込む。この処理は、ステップＳ８０で行われる処理と同じである。
【００５１】
ステップＳ２００において、画像処理部６は、ステップＳ１９０で取り込んだＲＡＷデータに対して、クロスフィルター処理を含む画像処理を施す。クロスフィルター処理以外の画像処理は、例えば、ノイズ除去処理、ホワイトバランス補正処理、色補正処理、ガンマ変換処理、圧縮処理等である。画像処理後の画像データは、ＤＲＡＭ１０に一時的に格納される。ステップＳ２００で行うクロスフィルター処理について、図４を用いて詳しく説明する。
【００５２】
図４は、撮像装置１００とともに、撮影モードがクロスフィルターモードに設定されている状態で、撮像装置１００のＬＣＤ８に表示される画像を示す図である。図４（ａ）では、フォーカスリング２７が回転されない場合の画像を示し、図４（ｂ）では、フォーカスリング２７が回転された場合の画像をそれぞれ示している。
【００５３】
フォーカスリング２７が回転されない場合、すなわち、クロスフィルター回転角が０度の場合、クロスフィルター処理によって画像に付加される光条は、画像の上下左右方向に伸びる十字状となっている。一方、フォーカスリング２７が回転された場合、すなわち、クロスフィルター回転角がＡ度（０＜Ａ＜３６０）の場合、画像に付加される光条は、図４（ａ）に示す十字状を基準として、Ａ度だけ回転した形状となっている（図４（ｂ）参照）。
【００５４】
すなわち、ＣＰＵ５は、撮影モードがクロスフィルターモードに設定されている場合に、フォーカスリング２７の回転を検出すると、フォーカスリング回転検出部２１で検出されたフォーカス回転角と同じ角度だけ、画像に付加する光条を回転させて、画像上の輝度の高い位置に付加する画像処理を画像処理部６に行わせる。従って、ユーザは、クロスフィルターが装着されているカメラでクロスフィルターを回転させることによって、画像上の光条を回転させるのと同様に、フォーカスリング２７を回転させるという直感的な操作によって、画像上の光条を回転させることができる。
【００５５】
ステップＳ２１０では、画像処理部６で画像処理が施された画像データをＤＲＡＭ１０から読み出して、ＦＬＡＳＨメモリ１１に記録する。
【００５６】
ステップＳ２２０では、撮像装置の電源がオフされたか否かを判定する。電源がオフされていないと判定するとステップＳ１３０に戻り、上述した処理を行う。一方、ユーザにより電源ボタンが押されて電源がオフされると、フローチャートの処理を終了する。
【００５７】
ここで、電源がオフにされなければ、ステップＳ１３０〜Ｓ１５０の処理が繰り返し行われることになる。すなわち、ライブビュー表示時には、フォーカスリング２７の回転操作に連動した画像の変化（光条の回転変化）を即時的にＬＣＤ８に表示させる。
【００５８】
以上、第１の実施形態における撮像装置によれば、クロスフィルターを用いて撮像することにより得られる画像効果を画像処理にて擬似再現することが可能な撮像装置において、撮影モードがクロスフィルターモードに設定されている場合に、回転式操作部であるフォーカスリング２７の回転操作を検出すると、回転操作に連動して、擬似再現する画像効果が変化するような画像処理を行う。これにより、ユーザは、クロスフィルターの回転操作と同じく、フォーカスリング２７の回転操作という直感的な操作によって、擬似再現する画像効果を変化させることができる。また、既存の操作部材であるフォーカスリング２７を利用するので、新たな操作部材を配置する必要がなく、部品点数およびコストの増加を抑制することができる。
【００５９】
ここで、カメラ本体に設けられているボタンの操作により、擬似再現する画像効果を変化させることも考えられるが、クロスフィルターの回転操作に慣れているユーザにとっては、直感的な操作とは言えない。これに対して、フォーカスリング２７の回転操作は、クロスフィルターの回転操作と同じような操作であるため、ユーザにとって利便性が高いものと考えられる。
【００６０】
特に、第１の実施形態における撮像装置では、フォーカスリング２７の回転角の変化分だけ、擬似再現する画像効果が変化するような画像処理を行うので、ユーザは、所望の画像を得るために、フォーカスリング２７をどれだけ回転させればよいか容易に理解することができる。
【００６１】
また、ライブビュー表示時には、フォーカスリング２７の回転操作に連動した画像の変化を即時的にＬＣＤ８に表示させるので、ユーザは、実際の撮影前に、フォーカスリング２７の回転操作を行って、撮影で得られる画像をＬＣＤ８で確認しながら、撮影を行うことができる。
【００６２】
−第２の実施形態−
図５は、第２の実施形態における撮像装置１００Ａの構成を示す図である。第１の実施形態における撮像装置１００と同じ構成要素については、同一の符号を付して詳しい説明は省略する。第２の実施形態における撮像装置１００Ａが第１の実施形態における撮像装置１００と異なるのは、レンズユニットの内部の構成である。第２の実施形態におけるレンズユニット１Ａは、第１の実施形態におけるレンズユニット１に対して、ズームリング５０と、ズームリング回転検出部５１と、ズームモータ駆動部５２と、ズームモータ５３と、をさらに備える。
【００６３】
ズームリング回転検出部５１は、ズームリング５０の回転操作および回転角を検出する。
【００６４】
ズームモータ駆動部５２は、ＣＰＵ５からの指令に基づいて、ズームモータ５３を駆動して、ズームレンズ２９を動かす。
【００６５】
第１の実施形態における撮像装置では、撮影モードがクロスフィルターモードに設定されている場合に、フォーカスリング２７の回転操作を検出すると、画像上の輝度の高い位置に付加する光条を、フォーカスリング２７の回転操作に応じて回転させるようにした。第２の実施形態における撮像装置では、撮影モードがクロスフィルターモードに設定されている場合に、ズームリング５０の回転操作を検出すると、画像上の輝度の高い位置に付加する光条を、ズームリング５０の回転操作に応じて回転させる。
【００６６】
図６は、第２の実施形態における撮像装置で行われる処理フローを示すフローチャートである。図２に示すフローチャートの処理と同じ処理を行うステップについては、同じ符号を付して詳しい説明は省略する。以下では、図２に示すフローチャートと異なる処理を行うステップについて説明する。
【００６７】
ステップＳ４０に続くステップＳ６００では、ズームリング５０が回転したか否かを判定する。この判定は、ズームリング回転検出部５１から入力される信号に基づいて行う。ズームリング５０が回転したと判定するとステップＳ６１０に進み、回転していないと判定すると、ステップＳ７０に進む。
【００６８】
ステップＳ６１０では、ズームリング回転検出部５１によって検出されたズームリング５０の回転角に基づいて、ズームレンズ２９を移動させる指令をズームモータ駆動部５２に出す。この指令には、ズームレンズ２９の移動量も含まれる。ＣＰＵ５からの指令に基づいて、ズームモータ駆動部５２は、ズームレンズ２９を駆動する。
【００６９】
ステップＳ１５０に続くステップＳ６２０では、ズームリング５０が回転したか否かを判定する。この判定は、ズームリング回転検出部５１から入力される信号に基づいて行う。ズームリング５０が回転したと判定するとステップＳ６３０に進み、回転していないと判定すると、ステップＳ１８０に進む。
【００７０】
ステップＳ６３０では、ズームリング回転検出部５１から入力されるズームリング５０の回転角に応じて、クロスフィルター回転角を設定する。ここでは、ズームリング５０の回転角と等しくなるように、クロスフィルター回転角を設定する。例えば、ズームリング５０の回転角が３０度の場合には、クロスフィルター回転角も３０度に設定する。
【００７１】
以上、第２の実施形態における撮像装置によれば、クロスフィルターを用いて撮像することにより得られる画像効果を画像処理にて擬似再現することが可能な撮像装置において、撮影モードがクロスフィルターモードに設定されている場合に、回転式操作部であるズームリング５０の回転操作を検出すると、回転操作に連動して、擬似再現する画像効果が変化するような画像処理を行う。これにより、ユーザは、クロスフィルターの回転操作と同じく、ズームリング５０の回転操作という直感的な操作によって、擬似再現する画像効果を変化させることができる。また、既存の操作部材であるズームリング５０を利用するので、新たな操作部材を配置する必要がなく、部品点数およびコストの増加を抑制することができる。
【００７２】
−第３の実施形態−
撮像装置に偏光フィルターを装着し、偏光フィルターの回転角を調整した状態で撮像を行うと、青空をより深みのある青にした画像を得ることができる。第３の実施形態における撮像装置では、撮影モードとして、偏光フィルターモードを設定することができる。偏光フィルターモードとは、偏光フィルターを用いた撮像時に得られる画像効果を、偏光フィルターを用いない撮影時に得られた画像上で擬似再現するための画像処理を施すモードである。第３の実施形態における撮像装置では、撮影モードが偏光フィルターモードに設定されている場合に、フォーカスリング２７の回転操作を検出すると、偏光フィルターが実際に装着されている場合と同等の画像効果が得られるような画像処理を施す。
【００７３】
第３の実施形態における撮像装置によって行われる処理の流れは、図２に示すフローチャートの処理の流れと同じである。ただし、ステップＳ１０では、撮影モードが偏光フィルターモードに設定されているか否かを判定する。また、ステップＳ１４０では、クロスフィルター処理は行わない。さらに、ステップＳ２００では、フォーカスリング２７の回転角に応じた画像効果を得るための画像処理を行う。
【００７４】
図７は、撮像装置１００とともに、撮影モードが偏光フィルターモードに設定されている状態で、撮像装置１００のＬＣＤ８に表示される画像を示す図である。図７（ａ）では、フォーカスリング２７が回転されない場合の画像を、図７（ｂ）では、フォーカスリング２７が９０度回転された場合の画像を、図７（ｃ）では、フォーカスリング２７が１８０度回転された場合の画像をそれぞれ示している。図７（ａ）〜図７（ｃ）に示す画像では、富士山７０とともに、青空７１が写し出されている。
【００７５】
青空は、レイリー散乱により偏光性が強いので、偏光フィルターにより遮光される度合いが高い。従って、偏光フィルターを回転させると、青空以外の被写体の明るさは変化しないが、青空は、本来の明るさよりも暗くなる。
【００７６】
本実施形態では、青空の明るさ抑制効果が最も弱い状態を初期状態として（図７（ａ）参照）、偏光フィルターを少しずつ回転させていくと、青空の明るさが少しずつ暗くなっていき、９０度回転させた状態で、青空の明るさが最も暗くなる（図７（ｂ）参照）。また、青空の明るさが最も暗い状態（図７（ｂ）参照）から、偏光フィルターを少しずつ回転させていくと、青空の明るさが少しずつ明るくなっていき、初期状態から１８０度回転させた状態で、青空の明るさも初期状態となる（図７（ｃ）参照）。
【００７７】
ＣＰＵ５は、撮影モードが偏光フィルターモードに設定されている場合に、フォーカスリング２７の回転を検出すると、フォーカスリング２７の回転操作に応じて、画像中の青空の明るさが変化するような画像処理を画像処理部６に行わせる。画像中の青空の領域は、既知の方法により求めることができる。
【００７８】
以上、第３の実施形態における撮像装置によれば、撮影モードが偏光フィルターモードに設定されている場合に、回転式操作部であるフォーカスリング２７の回転操作を検出すると、回転操作に連動して、画像中の青空の明るさが変化するような画像処理を行う。これにより、ユーザは、偏光フィルターの回転操作と同じく、フォーカスリング２７の回転操作という直感的な操作によって、画像中の青空の明るさを変化させることができる。また、既存の操作部材であるフォーカスリング２７を利用するので、新たな操作部材を配置する必要がなく、部品点数およびコストの増加を抑制することができる。
【００７９】
なお、第３の実施形態における撮像装置において、フォーカスリング２７の代わりに、ズームリング５０を利用して同様の処理を行うこともできる。すなわち、撮影モードが偏光フィルターモードに設定されている場合に、回転式操作部であるズームリング５０の回転操作を検出すると、回転操作に連動して、画像中の青空の明るさが変化するような画像処理を行えばよい。
【００８０】
本発明は、上述した第１〜第３の実施形態に限定されるものではなく、本発明の要旨を逸脱しない範囲内で様々な変形や応用が可能である。例えば、撮像装置１００は、一眼レフデジタルカメラとして説明したが、フォーカスリングを備えたコンパクトデジタルカメラであってもよいし、ズームリングを備えたコンパクトデジタルカメラであってもよい。
【００８１】
上述した実施形態では、フォーカスリング２７の回転角またはズームリング５０の回転角と等しくなるように、クロスフィルター回転角を設定した。しかし、フォーカスリング２７の回転角またはズームリング５０の回転角に応じて、クロスフィルター回転角を設定するのであれば、回転角と異なる角度に設定してもよい。例えば、クロスフィルター回転角をフォーカスリング２７の回転角の半分またはズームリングの回転角の半分に設定するようにしてもよい。
【００８２】
光学フィルターを用いて撮像することにより得られる画像効果を擬似再現するフィルター効果モードとして、クロスフィルターモードと偏光フィルターモードを例に挙げて説明したが、フィルター効果モードはこれらに限定されることはない。
【００８３】
擬似再現する画像効果を変化させるための回転式操作部として、フォーカスリング２７およびズームリング５０を例に挙げて説明したが、回転式操作部は、リングタイプまたはダイヤルタイプの操作部材であればよく、フォーカスリング２７やズームリング５０に限定されることはない。また、回転式操作部は、レンズユニットに設けられている構成に限定されることはなく、カメラ本体に設けられている構成であってもよい。
【００８４】
第２の実施形態における撮像装置では、撮影モードがクロスフィルターモードに設定されている場合に、ズームリング５０の回転操作を検出すると、画像上の輝度の高い位置に付加する光条を、ズームリング５０の回転操作に応じて回転させるようにした。しかし、擬似再現する画像効果を変化させるための回転式操作部として、フォーカスリング２７およびズームリング５０のどちらを用いるかをユーザに選択させるようにしてもよい。
【符号の説明】
【００８５】
１…レンズユニット
２…撮像素子（撮像部）
５…ＣＰＵ（処理モード設定部、制御部）
６…画像処理部（画像処理部）
８…ＬＣＤ（表示部）
２１…フォーカスリング回転検出部（回転操作検出部）
２２…フォーカスモータ駆動部（フォーカスレンズ駆動部）
２５…フォーカスモータ（フォーカスレンズ駆動部）
２７…フォーカスリング（回転式操作部）
２８…フォーカスレンズ
２９…ズームレンズ
５０…ズームリング（回転式操作部）
５１…ズームリング回転検出部（回転操作検出部）
５２…ズームモータ駆動部（ズームレンズ駆動部）
５３…ズームモータ（ズームレンズ駆動部）
【図１】
0005543874.tif 000002
【図２】
0005543874.tif 000003
【図５】
0005543874.tif 000004
【図６】
0005543874.tif 000005
【図３】
0005543874.tif 000006
【図４】
0005543874.tif 000007
【図７】
0005543874.tif 000008